(57)【要約】【課題】            従来、カレー等の固形ルウを収納する包装用箱では、複数に分割可能なカレー又はシチュー等の固形ルウを内容物として収容しており、半分又は３分の１等を分割して使用し、残りを収容し収容して冷蔵庫等に収納して保存する場合には、使った固形ルウ等の大きさの空間が箱内に生じ、収納無駄が生じる。【解決手段】        そこで、本発明は、複数に分割可能な内容物を収納する箱体に、該箱体を複数の部分箱体７に分割すると同時に該部分箱体７の部分開口部８に閉蓋可能な部分蓋体９を形成する箱体分割用の切込線を設けて、箱体を複数の部分箱体７に分割可能にし、分割した固形ルウを、それぞれの部分箱体に収納することができるようにしたものである。【選択図】          図１ｃ
2005350103.tif 000002
【特許請求の範囲】
【請求項１】
複数に分割可能な内容物を収納する箱体に、該箱体を複数の部分箱体に分割すると同時に該分割箱体の分割開口部に閉蓋可能な分割蓋体を形成する箱体分割用の切込線を設けてなる包装用箱。
【請求項２】
請求項１に記載の包装用箱において、前記切込線が、一方の部分箱体の部分開口部と他方の部分箱体の部分蓋部の境界に設けた箱・蓋切込線と、両者の部分蓋体と部分蓋体との境界に設けた蓋・蓋切込線とからなる包装用箱。
【請求項３】
請求項２に記載の包装用箱において、前記切込線が、一方の部分箱体の部分開口部の３辺を形成するコ字型断面の箱・蓋切込線と、部分開口部の１辺に連続すると共に相手方のコ字型断面の箱・蓋切込線で切り離された部分蓋体が相手方の部分蓋体と切り離されて部分蓋体となるように部分蓋体間を切り離す蓋・蓋切込線とからなる包装用箱。
【請求項４】
請求項３に記載の包装用箱において、箱体が表裏一対の表面板部と左右一対の側板部と上下一対の天板部と底板部とからなり、前記切込線の箱・蓋切込線が、一方の表面板部と左右の側板部をコ字型断面に切り離して部分箱体の部分開口部の３辺を形成すると共に、部分開口部の１辺に連続すると共に相手方のコ字型断面の箱・蓋切込線で切り離された部分蓋体が相手方の部分蓋体と蓋・蓋切込線で切り離されて部分蓋体となるように構成した包装用箱。
【請求項５】
請求項２に記載の包装用箱において、前記切込線が、互いの部分箱体の部分開口部を形成する箱・箱切込線を具備する包装用箱。
【請求項６】
請求項５に記載の包装用箱において、前記切込線が、互いの部分箱体の部分開口部の３辺を形成するコ字型断面の箱・箱切込線と、部分開口部の１辺に部分的に連続すると共に相手方の部分開口部の一辺を部分的に切り欠いて相手方の部分箱体に食い込んで突出し部分蓋体を形成する箱・蓋切込線と、部分蓋体が相手方の部分蓋体と切り離されて部分蓋体となるように部分蓋体間を互いに切り離す蓋・蓋切込線とからなる包装用箱。
【請求項７】
請求項６に記載の包装用箱において、箱体が表裏一対の表面板部と左右一対の側板部と上下一対の天板部と底板部とからなり、前記切込線の箱・箱切込線が、一方の表面板部と左右の側板部をコ字型断面に切り離して部分箱体の部分開口部の３辺を相互に形成すると共に、箱・蓋切込線が相手方の部分開口部の一辺を部分的に切り欠いて相手方の部分箱体に食い込んで突出し部分蓋体を形成する一方、前記部分蓋体が相手方の部分蓋体と蓋・蓋切込線で相互に切り離されて部分蓋体となるように構成した包装用箱。
【請求項８】
請求項４に記載の包装用箱において、前記切込線が、相対する部分箱体の部分開口部の上下又は左右の２辺を形成する箱・箱切込線と、部分開口部の他の相対する２辺において部分的に連続すると共に相手方の部分開口部の一辺を部分的に切り欠いて相手方の部分箱体に食い込んで突出し相互に部分蓋体を形成する箱・蓋切込線とからなる包装用箱。
【請求項９】
請求項８に記載の包装用箱において、箱体が表裏一対の表面板部と左右一対の側板部と上下一対の天板部と底板部とからなり、相対する部分箱体の上下の表面板部に部分開口部の上下の２辺を形成する箱・箱切込線と、部分開口部の他の相対する左右の側板部に部分的に連続すると共に相手方の部分開口部の側板部を部分的に切り欠いて相手方の側板部に食い込んで突出し相互に部分蓋体を形成する箱・蓋切込線とからなる包装用箱。
【請求項１０】
請求項１乃至９のいずれかに記載の包装用箱において、３個以上に分割可能な内容物を収納する箱体に、該箱体を３個以上の部分箱体に分割すると同時に該分割箱体のそれぞれの分割開口部に閉蓋可能な分割蓋体を形成する箱体分割用の切込線を設けてなる包装用箱。
【請求項１１】
請求項１乃至１０のいずれかに記載の包装用箱において、切込線の一部又は全部が帯状の切込帯線からなる包装用箱。
【請求項１２】
請求項１乃至１１のいずれかに記載の包装用箱において、切込線の一部又は全部が糸、紐又はテープ状の切込糸線からなる包装用箱。
【発明の詳細な説明】
【技術分野】
【０００１】
本発明は、包装用箱に関する。
【背景技術】
【０００２】
従来、箱体を形成する表裏一対の表面板部と、左右一対の側板部と、上下一対の天板部と底板部とからなるカレー、シチュー等の固形ルウを収納する六面体の包装用箱は知られている。この包装用箱では、複数に分割可能なカレー又はシチュー等の固形ルウを内容物として収容しており、半分又は３分の１等を分割して使用し、残りを収容しておくことができる。
【発明の開示】
【発明が解決しようとする課題】
【０００３】
然るに、残った固形ルウ等を前記箱体に収容して冷蔵庫等に収納して保存する場合には、使った固形ルウ等の大きさの空間が箱内に生じ、収納無駄が生じる。
また、残った固形ルウ等のみを冷蔵庫等に収納する場合には、一見してそのものの内容が不明であり、そのまま放置されたり、調理法や賞味期限が不明になる虞がある。
【課題を解決するための手段】
【０００４】
そこで、本発明は、請求項１に記載のように、複数に分割可能な内容物を収納する箱体に、該箱体を複数の部分箱体に分割すると同時に該部分箱体の部分開口部に閉蓋可能な部分蓋体を形成する箱体分割用の切込線を設けてなる包装用箱を提供するものである。
【０００５】
また、本発明は、請求項２に記載のように、請求項１に記載の包装用箱において、前記切込線が、一方の部分箱体の部分開口部と他方の部分箱体の部分蓋部の境界に設けた箱・蓋切込線と、両者の部分蓋体と部分蓋体との境界に設けた蓋・蓋切込線とからなる包装用箱を提供するものである。
【０００６】
また、本発明は、請求項３に記載のように、請求項２に記載の包装用箱において、前記切込線が、一方の部分箱体の部分開口部の３辺を形成するコ字型断面の箱・蓋切込線と、部分開口部の１辺に連続すると共に相手方のコ字型断面の箱・蓋切込線で切り離された部分蓋体が相手方の部分蓋体と切り離されて部分蓋体となるように部分蓋体間を切り離す蓋・蓋切込線とからなる包装用箱を提供するものである。
【０００７】
また、本発明は、請求項４に記載のように、請求項３に記載の包装用箱において、箱体が表裏一対の表面板部と左右一対の側板部と上下一対の天板部と底板部とからなり、前記切込線の箱・蓋切込線が、一方の表面板部と左右の側板部をコ字型断面に切り離して部分箱体の部分開口部の３辺を形成すると共に、部分開口部の１辺に連続すると共に相手方のコ字型断面の箱・蓋切込線で切り離された部分蓋体が相手方の部分蓋体と蓋・蓋切込線で切り離されて部分蓋体となるように構成した包装用箱を提供するものである。
【０００８】
また、本発明は、請求項５に記載のように、請求項２に記載の包装用箱において、前記切込線が、互いの部分箱体の部分開口部を形成する箱・箱切込線を具備する包装用箱を提供するものである。
【０００９】
また、本発明は、請求項６に記載のように、請求項５に記載の包装用箱において、前記切込線が、互いの部分箱体の部分開口部の３辺を形成するコ字型断面の箱・箱切込線と、部分開口部の１辺に部分的に連続すると共に相手方の部分開口部の一辺を部分的に切り欠いて相手方の部分箱体に食い込んで突出し部分蓋体を形成する箱・蓋切込線と、部分蓋体が相手方の部分蓋体と切り離されて部分蓋体となるように部分蓋体間を互いに切り離す蓋・蓋切込線とからなる包装用箱を提供するものである。
【００１０】
また、本発明は、請求項７に記載のように、請求項６に記載の包装用箱において、箱体が表裏一対の表面板部と左右一対の側板部と上下一対の天板部と底板部とからなり、前記切込線の箱・箱切込線が、一方の表面板部と左右の側板部をコ字型断面に切り離して部分箱体の部分開口部の３辺を相互に形成すると共に、箱・蓋切込線が相手方の部分開口部の一辺を部分的に切り欠いて相手方の部分箱体に食い込んで突出し部分蓋体を形成する一方、前記部分蓋体が相手方の部分蓋体と蓋・蓋切込線で相互に切り離されて部分蓋体となるように構成した包装用箱を提供するものである。
【００１１】
また、本発明は、請求項８に記載のように、請求項４に記載の包装用箱において、前記切込線が、相対する部分箱体の部分開口部の上下又は左右の２辺を形成する箱・箱切込線と、部分開口部の他の相対する２辺において部分的に連続すると共に相手方の部分開口部の一辺を部分的に切り欠いて相手方の部分箱体に食い込んで突出し相互に部分蓋体を形成する箱・蓋切込線とからなる包装用箱を提供するものである。
【００１２】
また、本発明は、請求項９に記載のように、請求項８に記載の包装用箱において、箱体が表裏一対の表面板部と左右一対の側板部と上下一対の天板部と底板部とからなり、相対する部分箱体の上下の表面板部に部分開口部の上下の２辺を形成する箱・箱切込線と、部分開口部の他の相対する左右の側板部に部分的に連続すると共に相手方の部分開口部の側板部を部分的に切り欠いて相手方の側板部に食い込んで突出し相互に部分蓋体を形成する箱・蓋切込線とからなる包装用箱を提供するものである。
【００１３】
また、本発明は、請求項１０に記載のように、請求項１乃至９のいずれかに記載の包装用箱において、３個以上に分割可能な内容物を収納する箱体に、該箱体を３個以上の部分箱体に分割すると同時に該分割箱体のそれぞれの分割開口部に閉蓋可能な分割蓋体を形成する箱体分割用の切込線を設けてなる包装用箱を提供するものである。
【００１４】
また、本発明は、請求項１１に記載のように、請求項１乃至１０のいずれかに記載の包装用箱において、切込線の一部又は全部が帯状の切込帯線からなる包装用箱を提供するものである。
【００１５】
また、本発明は、請求項１２に記載のように、請求項１乃至１１のいずれかに記載の包装用箱において、切込線の一部又は全部が糸、紐又はテープ状の切込糸線からなる包装用箱を提供するものである。
【発明の効果】
【００１６】
本発明に係る包装用箱によれば、請求項１に記載のように、複数に分割可能な内容物を収納する箱体に、該箱体を複数の部分箱体に分割すると同時に該部分箱体の部分開口部に閉蓋可能な部分蓋体を形成する箱体分割用の切込線を設けてなる構成を有することにより、箱体を複数の部分箱体に分割可能にするから、例えば、前記箱体に、複数に分割可能なカレー又はシチュー等の固形ルウが入っている場合、前記切込線により、箱体を部分箱体に分割することができるから、分割した固形ルウを、それぞれの部分箱体に収納することができると共に、箱体の本来の蓋体を開けることなく、部分開口部から内容物である固形ルウを容易且つ迅速に取り出すことができる効果があり、また、それぞれの部分箱体に、固形ルウ等の調理方法、品質及び賞味期限等の表示部分を記載しておくことによって、それを見ながら分割した固形ルウ等を複数人が個々に調理することができる効果があり、また、箱体の分割と同時に前記部分箱体の部分開口部を閉蓋する部分蓋体を形成することができるから、部分蓋体で部分開口部を閉蓋して部分箱体内に収容した内容物を保護することができると共に個々に保管することができる効果がある。
【００１７】
また、本発明は、請求項２に記載のように、請求項１に記載の包装用箱において、前記切込線が、一方の部分箱体の部分開口部と他方の部分箱体の部分蓋部の境界に設けた箱・蓋切込線と、両者の部分蓋体と部分蓋体との境界に設けた蓋・蓋切込線とからなる構成を有することにより、前記切込線に沿って箱体を分割すると、前記切込線を境に相対する両方の部分箱体に部分開口部と部分蓋体を同時に成形することができる効果がある。
【００１８】
また、本発明は、請求項３に記載のように、請求項２に記載の包装用箱において、前記切込線が、一方の部分箱体の部分開口部の３辺を形成するコ字型断面の箱・蓋切込線と、部分開口部の１辺に連続すると共に相手方のコ字型断面の箱・蓋切込線で切り離された部分蓋体が相手方の部分蓋体と切り離されて部分蓋体となるように部分蓋体間を切り離す蓋・蓋切込線とからなる構成を有するから、コ字型断面の箱・蓋切込線により部分箱体の部分開口部を形成することができると共に、蓋・蓋切込線により部分開口部の１辺に連続する部分蓋体を形成することができる効果がある。
【００１９】
また、本発明は、請求項４に記載のように、請求項３に記載の包装用箱において、箱体が表裏一対の表面板部と左右一対の側板部と上下一対の天板部と底板部とからなり、前記切込線の箱・蓋切込線が、一方の表面板部と左右の側板部をコ字型断面に切り離して部分箱体の部分開口部の３辺を形成すると共に、部分開口部の１辺に連続すると共に相手方のコ字型断面の箱・蓋切込線で切り離された部分蓋体が相手方の部分蓋体と蓋・蓋切込線で切り離されて部分蓋体となる構成を有することにより、表裏一対の表面板部と左右一対の側板部と上下一対の天板部と底板部とからなる箱体に、コ字型断面の箱・蓋切込線により部分箱体の部分開口部を形成することができると共に、蓋・蓋切込線により部分開口部の１辺に連続する部分蓋体を形成することができる効果がある。
【００２０】
また、本発明は、請求項５に記載のように、請求項２に記載の包装用箱において、前記切込線が、互いの部分箱体の部分開口部を形成する箱・箱切込線を具備する構成を有することにより、一方の部分箱体の部分開口部と他方の部分箱体の部分蓋部の境界に設けた箱・蓋切込線と、両者の部分蓋体と部分蓋体との境界に設けた蓋・蓋切込線と、互いの部分箱体の部分開口部を形成する箱・箱切込線とを切り離すことにより、前記切込線に沿って箱体を分割すると、前記切込線を境に相対する両方の部分箱体に部分開口部と部分蓋体を同時に成形することができる効果がある。
【００２１】
また、本発明は、請求項６に記載のように、請求項５に記載の包装用箱において、前記切込線が、互いの部分箱体の部分開口部の３辺を形成するコ字型断面の箱・箱切込線と、部分開口部の１辺に部分的に連続すると共に相手方の部分開口部の一辺を部分的に切り欠いて相手方の部分箱体に食い込んで突出し部分蓋体を形成する箱・蓋切込線と、部分蓋体が相手方の部分蓋体と切り離されて部分蓋体となるように部分蓋体間を互いに切り離す蓋・蓋切込線とからなる構成を有することにより、前記切込線を切り離すと、コ字型断面の箱・箱切込線により相対する部分箱体の部分開口部を形成することができると共に、箱・蓋切込線により部分開口部の１辺に部分的に連続すると共に相手方の部分開口部の一辺を部分的に切り欠いて相手方の部分箱体に食い込んで突出し部分蓋体を形成することができ、蓋・蓋切込線により部分蓋体が相手方の部分蓋体と切り離されて部分蓋体となるように部分蓋体間を互いに切り離すことができる効果がある。
【００２２】
また、本発明は、請求項７に記載のように、請求項６に記載の包装用箱において、箱体が表裏一対の表面板部と左右一対の側板部と上下一対の天板部と底板部とからなり、前記切込線の箱・箱切込線が、一方の表面板部と左右の側板部をコ字型断面に切り離して部分箱体の部分開口部の３辺を相互に形成すると共に、箱・蓋切込線が相手方の部分開口部の一辺を部分的に切り欠いて相手方の部分箱体に食い込んで突出し部分蓋体を形成する一方、前記部分蓋体が相手方の部分蓋体と蓋・蓋切込線で相互に切り離されて部分蓋体となる構成を有することにより、表裏一対の表面板部と左右一対の側板部と上下一対の天板部と底板部とからなる箱体に、コ字型断面の箱・箱切込線により相対する部分箱体の部分開口部を形成することができると共に、箱・蓋切込線により部分開口部の１辺に部分的に連続すると共に相手方の部分開口部の一辺を部分的に切り欠いて相手方の部分箱体に食い込んで突出し部分蓋体を形成することができ、蓋・蓋切込線により部分蓋体が相手方の部分蓋体と切り離されて部分蓋体となるように部分蓋体間を互いに切り離すことができる効果がある。
【００２３】
また、本発明は、請求項８に記載のように、請求項４に記載の包装用箱において、前記切込線が、相対する部分箱体の部分開口部の上下又は左右の２辺を形成する箱・箱切込線と、部分開口部の他の相対する２辺において部分的に連続すると共に相手方の部分開口部の一辺を部分的に切り欠いて相手方の部分箱体に食い込んで突出し相互に部分蓋体を形成する箱・蓋切込線とからなる構成を有することにより、切込線を切り離すと、箱・箱切込線により相対する部分箱体の部分開口部の上下又は左右の２辺を形成することができると共に、箱・蓋切込線により部分開口部の他の相対する２辺において部分的に連続すると共に相手方の部分開口部の一辺を部分的に切り欠いて相手方の部分箱体に食い込んで突出し相互に部分蓋体を形成することができる効果がある。
【００２４】
また、本発明は、請求項９に記載のように、請求項８に記載の包装用箱において、箱体が表裏一対の表面板部と左右一対の側板部と上下一対の天板部と底板部とからなり、相対する部分箱体の上下の表面板部に部分開口部の上下の２辺を形成する箱・箱切込線と、部分開口部の他の相対する左右の側板部に部分的に連続すると共に相手方の部分開口部の側板部を部分的に切り欠いて相手方の側板部に食い込んで突出し相互に部分蓋体を形成する箱・蓋切込線とからなる構成を有することにより、表裏一対の表面板部と左右一対の側板部と上下一対の天板部と底板部とからなる箱体に、箱・箱切込線により相対する部分箱体の部分開口部の上下又は左右の２辺を形成することができると共に、箱・蓋切込線により部分開口部の他の相対する２辺において部分的に連続すると共に相手方の部分開口部の一辺を部分的に切り欠いて相手方の部分箱体に食い込んで突出し相互に部分蓋体を形成することができる効果がある。
【００２５】
また、本発明は、請求項１０に記載のように、請求項１乃至９のいずれかに記載の包装用箱において、３個以上に分割可能な内容物を収納する箱体に、該箱体を３個以上の部分箱体に分割すると同時に該分割箱体のそれぞれの分割開口部に閉蓋可能な分割蓋体を形成する箱体分割用の切込線を設けてなる構成を有することにより、箱体を３個以上の部分箱体に分割し、分割して個々の部分箱体に生じた部分開口部にそれぞれ閉蓋可能な部分蓋体を形成することができる効果がある。
【００２６】
また、本発明は、請求項１１に記載のように、請求項１乃至１０のいずれかに記載の包装用箱において、切込線の一部又は全部が帯状の切込帯線からなる構成を有することにより、切込帯線を切り離すことによって部分箱体を容易に成形することができる効果がある。
【００２７】
また、本発明は、請求項１２に記載のように、請求項１乃至１１のいずれかに記載の包装用箱において、切込線の一部又は全部が糸、紐又はテープ状の切込糸線からなる構成を有することにより、切込糸線を切り離すことによって部分箱体を容易に成形することができる効果がある。
【発明を実施するための最良の形態】
【００２８】
以下図示する実施例により、本発明に係る包装用箱の実施の形態を説明する。
図示する実施例の場合、本発明包装用箱に係る複数に分割可能な内容物等を収容する箱体１０は、図に記載のように、表裏一対の表面板部１、２と、左右一対の側板部３、３と、上下一対の天板部４と底板部５とからなる。
この箱体１０には、箱体１０を複数の部分箱体７に分割すると同時に、分割によって部分箱体７に生じる部分開口部８を閉蓋可能な部分蓋体９を形成する箱体分割用の切込線６、１１、１５を設けてある。
【実施例１】
【００２９】
図１ａ乃至図１ｄに実施例１を示す。
この実施例の場合、図１ｃに記載のように、切込線は、箱体１０を二個の対称形状の部分箱体７に切り離してそれぞれの部分箱体７の部分開口部８に一体に部分蓋体９を形成するように構成してある。
上記切込線は、図１ａに記載のように、表面板部１又は２と左右の側板部３、３を箱・蓋切込線６により線分ａｂｃｄとｅｆｇｈのコ字型断面に切り離すと共に、部分箱体７の部分開口部８の１辺に互いに連続する部分蓋体９を形成する一方、蓋・蓋切込線１１により線分ａｃ、ｄｅのように部分蓋体９を相手方の部分蓋体９と切り離すように構成してある。
【００３０】
上記の実施例の場合、箱・蓋切込線６は、表面板部１又は２上に形成した線分ｂｃ、ｆｇの箱・蓋切込線６ａと、側板部３上に形成した線分ａｂ、ｃｄ及びｅｆ、ｇｈの箱・蓋切込線６ｂとからなり、この箱・蓋切込線６ａ、６ｂにより表面板部１又は２と側板部３を連続的に切断するように構成してある。  
【００３１】
上記の実施例の場合、箱・蓋切込線６は直線的に設けてあるが内容物の形状等に応じて屈曲線的又は曲線的に設けることも勿論可能である。
他方、蓋・蓋切込線１１も図では直線的に設けてあるが内容物の形状等に応じて屈曲線的又は曲線的に設けることも勿論可能である。また、箱・蓋切込線６の角部ｂ、ｃ又はｆ、ｇも湾曲して設けることも可能であり、更に、蓋・箱切込線６と蓋・蓋切込線１１との交点ａ、ｄ、ｅ、ｈも鋭角的に限らず円弧状等の湾曲した形状に構成することも可能である。
【００３２】
また、図１ａ及び図１ｂに記載のように、表面板部１と表面板部２の箱体１０の長手方向における互いの間隔を部分開口部８の高さと略同じ長さに構成することにより、部分箱体７に分割後、部分箱体７と部分蓋体９との境界上に設けた破線ａｄ、ｅｈで示す折曲線１２に沿って、部分蓋体９を内側に折り、部分開口部８に適した大きさの部分蓋体９を構成することができる。
また、上記の実施例の場合、部分蓋体９を部分箱体７に蓋閉した際には、部分蓋体９の両側端部に延設した三角形状の蓋耳片部１３を、部分開口部８から部分箱体７の内部に嵌め込むことによって、図１ｄに記載のように、蓋耳片部１３の上縁部１４が、表面板部１に内接し、部分蓋体９を、部分箱体７に固定して蓋閉状態を確実に維持できるように構成してある。
【実施例２】
【００３３】
図２ａ乃至図２ｄに記載の実施例の場合、図１ａ乃至図１ｄに記載した実施例１の２分割する箱体１０に対して同じ切込線６、１１の構成で箱体１０を３分割以上に分割可能にする構成の実施例であり、図２ａ、図２ｂに記載のように部分開口部８を両側に具備する部分箱体７ｂを実施例１の部分箱体７の中間に１個又は複数個形成することができるように構成した実施例を示すものである。
この場合、部分箱体７、７ｂを個々に分割して使用することができるが、図２ｃ及び図２ｄに記載のように、一端の部分箱体７と中間の部分箱体７ｂを分割しないで使用することもでき、これにより内容物の大きさに合わせて箱体１０を選択的に分割することが可能となる。
【００３４】
また、上記の実施例２の場合、箱体１０を、箱・蓋切込線６及び蓋・蓋切込線１１により、部分箱体７、７ｂに個々に分割した場合には、中間の部分箱体７ｂの両端部に形成された部分開口部８に一体に部分蓋体９が形成され、図１ｃ及び図１ｄに記載の実施例の場合と同様にして、部分開口部８を部分蓋体９により閉蓋することができる。  
なお、図に示す実施例２において実施例１と同一の機能を有する構成部分については同一の符号を付して示してあり、その説明を省略する。
【実施例３】
【００３５】
図３ａ乃至図３ｅに記載の実施例３の場合、箱体２０の切込線は、互いの部分箱体２７の部分開口部２８の３辺を形成するコ字型断面の線分ｉｊｋｌからなる箱・箱切込線１５と、部分開口部２８の１辺に部分的に連続すると共に相手方の部分開口部２８の一辺を部分的に切り欠いて相手方の部分箱体２７に食い込んで突出し部分蓋体２９を形成する線分ｉｍｎ、ｌｐｏからなる箱・蓋切込線２６と、部分蓋体２９が相手方の部分蓋体２９と切り離されて部分蓋体２９となるように部分蓋体２９間を互いに切り離す線分ｎｏからなる蓋・蓋切込線１１とから構成されている。
【００３６】
上記の実施例の場合、箱・蓋切込線２６は直線的に設けてあるが内容物の形状等に応じて屈曲線的又は曲線的に設けることも勿論可能である。
他方、蓋・蓋切込線１１、箱・箱切込線１５も図では直線的に設けてあるが内容物の形状等に応じて屈曲線的又は曲線的に設けることも勿論可能である。また、箱・蓋切込線２６の角部ｍ、ｐも湾曲して設けることも可能であり、更に、蓋・箱切込線２６と蓋・蓋切込線１１との交点ｎ、ｏと、蓋・箱切込線２６と箱・箱切込線１５との交点ｉ、ｌも角状に限らず円弧状等の湾曲した形状に構成することも可能である。
【００３７】
また、図３ｄに記載のように、部分蓋体２９を部分箱体２７に閉蓋するには、部分蓋体２９を部分開口部２８に設けた折曲線１６に沿って、部分開口部２８側に向かって折り曲げ、さらに、部分蓋体２９の先端部１８を、破線で示す折曲線１７に沿って、部分開口部２８内に向かって折り曲げ、先端部１８を部分開口部２８内に嵌め込むことによって、図３ｅに記載のように、先端部１８が、裏側の表面板部２に内接し、部分蓋体２９を部分開口部２８に固定して閉蓋状態を維持できるように構成してある。
【実施例４】
【００３８】
図４ａ乃至図４ｃに記載の実施例の場合、図３ａ乃至図３ｅに記載した実施例３の２分割する箱体２０に対して同じ切込線１１、１５、２６の構成で箱体２０を３分割以上に分割可能にする構成の実施例であり、図４ａに記載のように部分開口部２８を両側に具備する部分箱体２７ｂを実施例３の部分箱体２７の中間に１個又は複数個形成することができるように構成した実施例を示すものである。
この場合、部分箱体２７、２７ｂを個々に分割して使用することができるが、図４ｂ及び図４ｃに記載のように、一端の部分箱体２７と中間の部分箱体２７ｂを分割しないで使用することができ、これにより内容物の大きさに合わせて箱体２０を選択的に分割することが可能となる。
【００３９】
また、上記の実施例４の場合、箱体２０を、蓋・蓋切込線１１、箱・箱切込線１５及び箱・蓋切込線２６により、部分箱体２７、２７ｂに個々に分割した場合には、中間の部分箱体７ｂの両端部に形成された部分開口部８に一体に部分蓋体２９が形成され、図３ｄ及び図３ｅに記載の実施例の場合と同様にして、部分開口部２８を部分蓋体２９により閉蓋することができる。
なお、図に示す実施例４において実施例３と同一の機能を有する構成部分については同一の符号を付して示してあり、その説明を省略する。
【実施例５】
【００４０】
図５ａ乃至図５ｅに記載の実施例５の場合、前記切込線としては、先ず、相対する部分箱体３７の部分開口部３８の上下の表面板部１、２の２辺ｑｒを形成する箱・箱切込線１５が設けてあると共に、部分開口部３８の左右の側板部３の他の相対する２辺ｑｒにおいて部分的に連続すると共に相手方の部分開口部３８の一辺を部分的に切り欠いて相手方の部分箱体３７に食い込んで突出し相互に部分蓋体３９を形成する線分ｑｕｖｘ、ｒｗｙｘとからなる箱・蓋切込線３６とから構成してある。
なお、上記の実施例の場合、部分開口部３８の左右の側板部３の他の相対する２辺ｑｒと箱・蓋切込線３６を構成する線分ｖｙの交点をｘと設定してある。
【００４１】
また、実施例の場合、箱・蓋切込線３６は、図５ｃに記載のように、側板部３上に示した線分ｒｗ及びｑｖの直線的な箱・蓋切込線３６ａと、線分ｗｙｘ及びｙｖｘのＬ字型部分の箱・蓋切込線３６ｂとからなるが、曲線的であっても良く、角部ｕ、ｖ、ｙ、ｗも湾曲した形状にすることも可能である。
【００４２】
上記の実施例の場合、箱体３０を、箱・箱切込線１５及び箱・蓋切込線３６に沿って切断すると、図５ｄ及び図５ｅに記載する部分箱体３７に分割することができると共に、部分箱体３７の部分開口部３８を閉蓋する部分蓋体３９を、部分開口部３８の左右の側縁部からそれぞれ延設して形成することができる。
図５ｄ及び図５ｅに記載のように、この部分蓋体３９を部分箱体３７に蓋閉する際には、部分開口部３８の左右の側縁部に破線ｑｘで示す折曲線１９に沿って部分蓋体３９を部分開口部３８側に向かって折り曲げると、図５ｅに記載するように、２個一対の部分蓋体３９によって部分開口部３８を閉蓋状態に維持できる。この場合、２個一対の部分蓋体３９を互いに係合するように構成することによって閉蓋状態を確実に維持することができる。
【実施例６】
【００４３】
また、本発明の実施例６は、図６に記載のように、上記各実施例の包装用箱において、切込線６、１１、１５、２６、３６等の一部又は全部に帯状の切込帯線４０を二重の切込線４１等によって設け、これを符号４２で示すように切り離して部分箱体７、２７、３７等を形成することができる。
また、この場合、切込帯線４０の端部を把持部として設けることも可能である。
【実施例７】
【００４４】
また、本発明の実施例７は、図７に記載のように、上記各実施例の包装用箱において、切込線６、１１、１５、２６、３６等の一部又は全部に糸、紐又はテープ状の切込糸線４５を設け、これを符号４６で示すように切り離して部分箱体７、２７、３７等を形成することができる。
また、この場合、切込糸線４５の端部を把持部として設けることも可能である。
【図面の簡単な説明】
【００４５】
【図１ａ】本発明に係る包装用箱の一実施例を示す概略斜視図。
【図１ｂ】その実施例の概略正面図
【図１ｃ】その実施例の一使用態様を示す概略斜視図。
【図１ｄ】その実施例の他の使用態様を示す概略斜視図。
【図２ａ】本発明包装用箱の他の実施例を示す概略斜視図。
【図２ｂ】その実施例の概略側面図。
【図２ｃ】その実施例の一使用態様を示す概略斜視図。
【図２ｄ】その実施例の他の使用態様を示す概略斜視図。
【図３ａ】本発明包装用箱の他の実施例を示す概略斜視図。
【図３ｂ】その実施例の概略平面図。
【図３ｃ】その実施例の概略背面図。
【図３ｄ】その実施例の一使用態様を示す概略斜視図。
【図３ｅ】その実施例の他の使用態様を示す概略斜視図。
【図４ａ】本発明包装用箱の他の実施例を示す概略斜視図。
【図４ｂ】その実施例の一使用態様を示す概略斜視図。
【図４ｃ】その実施例の他の使用態様を示す概略斜視図。
【図５ａ】本発明包装用箱の他の実施例を示す概略斜視図。
【図５ｂ】その実施例の概略平面図。
【図５ｃ】その実施例の概略正面図。
【図５ｄ】その実施例の一使用態様を示す概略斜視図。
【図５ｅ】その実施例の他の使用態様を示す概略斜視図。
【図６】本発明包装用箱の他の実施例の一使用態様を示す概略斜視図。
【図７】本発明包装用箱の他の実施例の一使用態様を示す概略斜視図。
【符号の説明】
【００４６】
１      表面板部
２      表面板部
３      側板部
４      天板部
５      底板部
６      箱・蓋切込線
６ａ    箱・蓋切込線
６ｂ    箱・蓋切込線
７      部分箱体
８      部分開口部
９      部分蓋体
１０    箱体
１１    蓋・蓋切込線
１２    折曲線
１３    蓋耳片部
１４    上縁部
１５    箱・箱切込線
１６    折曲線
１７    折曲線
１８    先端部
１９    折曲線
２０    箱体
２６    箱・蓋切込線
２７    部分箱体
２７ｂ  部分箱体
２８    部分開口部
２９    部分蓋体
３０    箱体
３６    箱・蓋切込線
３６ａ  箱・蓋切込線
３６ｂ  箱・蓋切込線
３７    部分箱体
３８    部分開口部
３９    部分蓋体
４０    切込帯線
４１    切込線
４５    切込糸線
【図１ａ】
2005350103.tif 000003
【図１ｂ】
2005350103.tif 000004
【図１ｃ】
2005350103.tif 000005
【図１ｄ】
2005350103.tif 000006
【図２ａ】
2005350103.tif 000007
【図２ｂ】
2005350103.tif 000008
【図２ｃ】
2005350103.tif 000009
【図２ｄ】
2005350103.tif 000010
【図３ａ】
2005350103.tif 000011
【図３ｂ】
2005350103.tif 000012
【図３ｃ】
2005350103.tif 000013
【図３ｄ】
2005350103.tif 000014
【図３ｅ】
2005350103.tif 000015
【図４ａ】
2005350103.tif 000016
【図４ｂ】
2005350103.tif 000017
【図４ｃ】
2005350103.tif 000018
【図５ａ】
2005350103.tif 000019
【図５ｂ】
2005350103.tif 000020
【図５ｃ】
2005350103.tif 000021
【図５ｄ】
2005350103.tif 000022
【図５ｅ】
2005350103.tif 000023
【図６】
2005350103.tif 000024
【図７】
2005350103.tif 000025